【事件の表示】
　特許第５６０７１７４号に関する訂正審判事件について、次のとおり審決する。
【結　論】
　
　特許第５６０７１７４号の特許請求の範囲を本件審判請求書に添付された訂正特許請求の範囲のとおり訂正することを認める。
【理　由】
　
第１　手続の経緯
　本件訂正審判の請求に係る特許第５６０７１７４号（以下「本件特許」という。）は、２０１０年１２月１日（パリ条約による優先権主張外国庁受理　２００９年１２月１日（ＵＳ）米国及び２０１０年７月１４日（ＵＳ）米国）を国際出願日とする出願（特願２０１２−５４２１６１号）であって、その請求項１〜３０に係る発明について、平成２６年９月５日に特許権の設定登録がされたものである。
　そして、平成２８年１０月１２日に本件訂正審判の請求がされたものである。
第２　本件特許発明
　本件訂正前の本件特許の請求項１〜３０に係る発明は、特許請求の範囲の請求項１〜３０に記載された事項により特定される、以下のとおりのものである。
【請求項１】
　３−（（３Ｓ，４Ｓ）−３−（３Ｈ−イミダゾ［１，２−ａ］ピロロ［２，３−ｅ］ピラジン−８−イル）−４−メチルピペリジン−１−イル）−３−オキソプロパンニトリル；
　５−（３−（３Ｈ−イミダゾ［１，２−ａ］ピロロ［２，３−ｅ］ピラジン−８−イル）ピペリジン−１−イル）ピラジン−２−カルボニトリル；
　（Ｓ）−１−（３−（３Ｈ−イミダゾ［１，２−ａ］ピロロ［２，３−ｅ］ピラジン−８−イル）ピペリジン−１−カルボニル）シクロプロパンカルボニトリル；
　Ｎ−（（１Ｓ，３Ｒ，４Ｒ）−３−エチル−４−（３Ｈ−イミダゾ［１，２−ａ］ピロロ［２，３−ｅ］ピラジン−８−イル）シクロペンチル）シクロプロパンスルホンアミド；
　Ｎ−（（１Ｒ，３Ｓ，４Ｓ）−３−エチル−４−（３Ｈ−イミダゾ［１，２−ａ］ピロロ［２，３−ｅ］ピラジン−８−イル）シクロペンチル）シクロプロパンスルホンアミド；
　（Ｓ）−６−（３−（３Ｈ−イミダゾ［１，２−ａ］ピロロ［２，３−ｅ］ピラジン−８−イル）ピペリジン−１−イル）ニコチノニトリル；
　（Ｒ）−６−（３−（３Ｈ−イミダゾ［１，２−ａ］ピロロ［２，３−ｅ］ピラジン−８−イル）ピペリジン−１−イル）ニコチノニトリル；
　（Ｓ）−２−（３−（３Ｈ−イミダゾ［１，２−ａ］ピロロ［２，３−ｅ］ピラジン−８−イル）ピペリジン−１−イル）チアゾール−５−カルボニトリル；
　（Ｒ）−２−（３−（３Ｈ−イミダゾ［１，２−ａ］ピロロ［２，３−ｅ］ピラジン−８−イル）ピペリジン−１−イル）チアゾール−５−カルボニトリル；
　（Ｒ）−（３−（３Ｈ−イミダゾ［１，２−ａ］ピロロ［２，３−ｅ］ピラジン−８−イル）ピペリジン−１−イル）（３，３−ジフルオロアゼチジン−１−イル）メタノン；
　（Ｓ）−（３−（３Ｈ−イミダゾ［１，２−ａ］ピロロ［２，３−ｅ］ピラジン−８−イル）ピペリジン−１−イル）（３，３−ジフルオロアゼチジン−１−イル）メタノン；
　５−（（１Ｒ，３Ｓ，４Ｓ）−３−（３Ｈ−イミダゾ［１，２−ａ］ピロロ［２，３−ｅ］ピラジン−８−イル）−４−メチルシクロペンチルアミノ）ピラジン−２−カルボニトリル；
　５−（（１Ｓ，３Ｒ，４Ｒ）−３−（３Ｈ−イミダゾ［１，２−ａ］ピロロ［２，３−ｅ］ピラジン−８−イル）−４−メチルシクロペンチルアミノ）ピラジン−２−カルボニトリル；
　５−（（１Ｒ，３Ｒ，４Ｓ）−３−（３Ｈ−イミダゾ［１，２−ａ］ピロロ［２，３−ｅ］ピラジン−８−イル）−４−メチルシクロペンチルアミノ）ピラジン−２−カルボニトリル；
　５−（（１Ｓ，３Ｓ，４Ｒ）−３−（３Ｈ−イミダゾ［１，２−ａ］ピロロ［２，３−ｅ］ピラジン−８−イル）−４−メチルシクロペンチルアミノ）ピラジン−２−カルボニトリル；
　Ｎ−（４−（３Ｈ−イミダゾ［１，２−ａ］ピロロ［２，３−ｅ］ピラジン−８−イル）ビシクロ［２．２．２］オクタン−１−イル）シクロプロパンスルホンアミド；
　（Ｒ）−（３−（３Ｈ−イミダゾ［１，２−ａ］ピロロ［２，３−ｅ］ピラジン−８−イル）ピペリジン−１−イル）（３，３−ジフルオロシクロブチル）メタノン；
　（Ｒ）−（３−（３Ｈ−イミダゾ［１，２−ａ］ピロロ［２，３−ｅ］ピラジン−８−イル）ピペリジン−１−イル）（３，３−ジフルオロピロリジン−１−イル）メタノン；
　（Ｒ）−（３−（３Ｈ−イミダゾ［１，２−ａ］ピロロ［２，３−ｅ］ピラジン−８−イル）ピペリジン−１−イル）（４，４−ジフルオロピペリジン−１−イル）メタノン；
　Ｎ−（（１Ｓ，３Ｓ，４Ｒ）−３−（３Ｈ−イミダゾ［１，２−ａ］ピロロ［２，３−ｅ］ピラジン−８−イル）−４−メチルシクロペンチル）−３，３，３−トリフルオロプロパン−１−スルホンアミド；
　Ｎ−（（１Ｒ，３Ｒ，４Ｓ）−３−（３Ｈ−イミダゾ［１，２−ａ］ピロロ［２，３−ｅ］ピラジン−８−イル）−４−メチルシクロペンチル）−３，３，３−トリフルオロプロパン−１−スルホンアミド；
　Ｎ−（（１Ｒ，３Ｓ，４Ｓ）−３−（３Ｈ−イミダゾ［１，２−ａ］ピロロ［２，３−ｅ］ピラジン−８−イル）−４−メチルシクロペンチル）−３，３，３−トリフルオロプロパン−１−スルホンアミド；
　Ｎ−（（１Ｓ，３Ｒ，４Ｒ）−３−（３Ｈ−イミダゾ［１，２−ａ］ピロロ［２，３−ｅ］ピラジン−８−イル）−４−メチルシクロペンチル）−３，３，３−トリフルオロプロパン−１−スルホンアミド；
　（（Ｒ）−３−（３Ｈ−イミダゾ［１，２−ａ］ピロロ［２，３−ｅ］ピラジン−８−イル）ピペリジン−１−イル）（（Ｒ）−２−（トリフルオロメチル）ピロリジン−１−イル）メタノン；
　Ｎ−（（３Ｓ，５Ｒ）−５−エチル−１−（３Ｈ−イミダゾ［１，２−ａ］ピロロ［２，３−ｅ］ピラジン−８−イル）ピロリジン−３−イル）シクロプロパンスルホンアミド；
　１−シクロヘキシル−１，６−ジヒドロイミダゾ［４，５−ｄ］ピロロ［２，３−ｂ］ピリジン；
　Ｎ−（（３Ｓ，５Ｒ）−５−エチル−１−（３Ｈ−イミダゾ［１，２−ａ］ピロロ［２，３−ｅ］ピラジン−８−イル）ピロリジン−３−イル）−３，３，３−トリフルオロプロパン−１−スルホンアミド；
　３−（３Ｈ−イミダゾ［１，２−ａ］ピロロ［２，３−ｅ］ピラジン−８−イル）−４−メチルシクロペンタンアミン；
　Ｎ−（（１Ｒ，３Ｓ，４Ｒ）−３−エチル−４−（３Ｈ−イミダゾ［１，２−ａ］ピロロ［２，３−ｅ］ピラジン−８−イル）シクロペンチル）−３，３，３−トリフルオロプロパン−１−スルホンアミド；
　Ｎ−（（１Ｓ，３Ｒ，４Ｓ）−３−エチル−４−（３Ｈ−イミダゾ［１，２−ａ］ピロロ［２，３−ｅ］ピラジン−８−イル）シクロペンチル）−３，３，３−トリフルオロプロパン−１−スルホンアミド；
　Ｎ−（（１Ｓ，３Ｓ，４Ｒ）−３−（３Ｈ−イミダゾ［１，２−ａ］ピロロ［２，３−ｅ］ピラジン−８−イル）−４−メチルシクロペンチル）シクロプロパンスルホンアミド；
　Ｎ−（（１Ｓ，３Ｒ，４Ｓ）−３−エチル−４−（３Ｈ−イミダゾ［１，２−ａ］ピロロ［２，３−ｅ］ピラジン−８−イル）シクロペンチル）シクロプロパンスルホンアミド；
　Ｎ−（（１Ｓ，３Ｒ，４Ｓ）−３−エチル−４−（３Ｈ−イミダゾ［１，２−ａ］ピロロ［２，３−ｅ］ピラジン−８−イル）シクロペンチル）−３，３−ジフルオロアゼチジン−１−スルホンアミド；
　３−クロロ−Ｎ−（（１Ｓ，３Ｒ，４Ｓ）−３−エチル−４−（３Ｈ−イミダゾ［１，２−ａ］ピロロ［２，３−ｅ］ピラジン−８−イル）シクロペンチル）−４−フルオロベンゼンスルホンアミド；
　Ｎ−（（１Ｓ，３Ｓ，４Ｒ）−３−（３Ｈ−イミダゾ［１，２−ａ］ピロロ［２，３−ｅ］ピラジン−８−イル）−４−メチルシクロペンチル）−３，３−ジフルオロアゼチジン−１−スルホンアミド；
　Ｎ−（（（１Ｓ，３Ｒ，４Ｓ）−３−エチル−４−（３Ｈ−イミダゾ［１，２−ａ］ピロロ［２，３−ｅ］ピラジン−８−イル）シクロペンチル）メチル）−３，３，３−トリフルオロプロパン−１−スルホンアミド；
　Ｎ−（（（１Ｒ，３Ｓ，４Ｒ）−３−エチル−４−（３Ｈ−イミダゾ［１，２−ａ］ピロロ［２，３−ｅ］ピラジン−８−イル）シクロペンチル）メチル）−３，３，３−トリフルオロプロパン−１−スルホンアミド；
　Ｎ−（（（１Ｓ，３Ｓ，４Ｒ）−３−エチル−４−（３Ｈ−イミダゾ［１，２−ａ］ピロロ［２，３−ｅ］ピラジン−８−イル）シクロペンチル）メチル）−３，３，３−トリフルオロプロパン−１−スルホンアミド；
　Ｎ−（（（１Ｒ，３Ｒ，４Ｓ）−３−エチル−４−（３Ｈ−イミダゾ［１，２−ａ］ピロロ［２，３−ｅ］ピラジン−８−イル）シクロペンチル）メチル）−３，３，３−トリフルオロプロパン−１−スルホンアミド；
　Ｎ−（（１Ｓ，３Ｓ，４Ｒ）−３−（３Ｈ−イミダゾ［１，２−ａ］ピロロ［２，３−ｅ］ピラジン−８−イル）−４−メチルシクロペンチル）モルホリン−４−スルホンアミド；
　３，３，３−トリフルオロ−プロパン−１−スルホン酸［（２Ｓ，４Ｓ，５Ｒ）−４−メチル−５−（３Ｈ−イミダゾ［１，２−ａ］ピロロ［２，３−ｅ］ピラジン−８−イル）−テトラヒドロ−フラン−２−イルメチル］−アミド；
　３，３，３−トリフルオロ−プロパン−１−スルホン酸［（２Ｒ，４Ｒ，５Ｓ）−４−メチル−５−（３Ｈ−イミダゾ［１，２−ａ］ピロロ［２，３−ｅ］ピラジン−８−イル）−テトラヒドロ−フラン−２−イルメチル］−アミド；
　３，３，３−トリフルオロ−プロパン−１−スルホン酸メチル−［（１Ｓ，３Ｒ，４Ｓ）−３−メチル−４−（３Ｈ−イミダゾ［１，２−ａ］ピロロ［２，３−ｅ］ピラジン−８−イル）−シクロペンチル］−アミド；
　アゼチジン−１−スルホン酸［（１Ｓ，３Ｒ，４Ｓ）−３−メチル−４−（３Ｈ−イミダゾ［１，２−ａ］ピロロ［２，３−ｅ］ピラジン−８−イル）−シクロペンチル］−アミド；
　｛３−［（１Ｓ，３Ｒ，４Ｓ）−３−メチル−４−（３Ｈ−イミダゾ［１，２−ａ］ピロロ［２，３−ｅ］ピラジン−８−イル）−シクロペンチルアミノ］−オキセタン−３−イル｝−アセトニトリル；
　３，３−ジフルオロ−シクロブタンスルホン酸［（１Ｓ，３Ｒ，４Ｓ）−３−メチル−４−（３Ｈ−イミダゾ［１，２−ａ］ピロロ［２，３−ｅ］ピラジン−８−イル）−シクロペンチル］−アミド；
　８−［（１Ｓ，２Ｒ，４Ｓ）−２−メチル−４−（テトラヒドロ−ピラン−４−イルオキシ）−シクロペンチル］−３Ｈ−３，４，６，８ａ−テトラアザ−ａｓ−インダセン；
　８−［（１Ｒ，２Ｒ）−２−メチル−４−（テトラヒドロ−ピラン−４−イルオキシ）−シクロペンチル］−３Ｈ−３，４，６，８ａ−テトラアザ−ａｓ−インダセン；
　３−フルオロ−アゼチジン−１−スルホン酸［（１Ｓ，３Ｒ，４Ｓ）−３−メチル−４−（３Ｈ−イミダゾ［１，２−ａ］ピロロ［２，３−ｅ］ピラジン−８−イル）−シクロペンチル］−アミド；
　３−フルオロ−プロパン−１−スルホン酸［（１Ｓ，３Ｒ，４Ｓ）−３−メチル−４−（３Ｈ−イミダゾ［１，２−ａ］ピロロ［２，３−ｅ］ピラジン−８−イル）−シクロペンチル］−アミド；
　シクロプロパンスルホン酸［（１Ｓ，３Ｒ，４Ｓ）−３−メチル−４−（７−メチル−３Ｈ−イミダゾ［１，２−ａ］ピロロ［２，３−ｅ］ピラジン−８−イル）−シクロペンチル］−アミド；
　シクロプロパンスルホン酸［（１Ｒ，３Ｓ，４Ｒ）−３−メチル−４−（７−メチル−３Ｈ−イミダゾ［１，２−ａ］ピロロ［２，３−ｅ］ピラジン−８−イル）−シクロペンチル］−アミド；
　２−シアノ−Ｎ−［（１Ｓ，３Ｒ，４Ｓ）−３−メチル−４−（３Ｈ−イミダゾ［１，２−ａ］ピロロ［２，３−ｅ］ピラジン−８−イル）−シクロペンチル］−アセトアミド；
　８−［（１Ｓ，２Ｒ，４Ｒ）−２−メチル−４−（テトラヒドロ−ピラン−４−イルオキシ）−シクロペンチル］−３Ｈ−３，４，６，８ａ−テトラアザ−ａｓ−インダセン；
　（２−シクロプロピル−エチル）−［（１Ｓ，３Ｒ，４Ｓ）−３−メチル−４−（３Ｈ−イミダゾ［１，２−ａ］ピロロ［２，３−ｅ］ピラジン−８−イル）−シクロペンチル］−オキセタン−３−イル−アミン；
　シクロプロピルメチル−［（１Ｓ，３Ｒ，４Ｓ）−３−メチル−４−（３Ｈ−イミダゾ［１，２−ａ］ピロロ［２，３−ｅ］ピラジン−８−イル）−シクロペンチル］−オキセタン−３−イル−アミン；
　（３Ｒ，４Ｓ）−３−エチル−４−（３Ｈ−イミダゾ［１，２−ａ］ピロロ［２，３−ｅ］ピラジン−８−イル）−ピロリジン−１−カルボン酸（２，２，２−トリフルオロ−エチル）−アミド；および
　（３Ｓ，４Ｒ）−３−エチル−４−（３Ｈ−イミダゾ［１，２−ａ］ピロロ［２，３−ｅ］ピラジン−８−イル）−ピロリジン−１−カルボン酸（２，２，２−トリフルオロ−エチル）−アミド
から選択される化合物、または該化合物の薬学的に許容される塩もしくは立体異性体。
【請求項２】
　下記式
　　【化１】
から選択される化合物、または該化合物の薬学的に許容される塩もしくは立体異性体。
【請求項３】
　下記式
　　【化２】
によって示される化合物、または該化合物の薬学的に許容される塩もしくは立体異性体。
【請求項４】
　下記式
　　【化３】
によって示される化合物、または該化合物の薬学的に許容される塩もしくは立体異性体。
【請求項５】
　下記式
　　【化４】
によって示される化合物、または該化合物の薬学的に許容される塩もしくは立体異性体。
【請求項６】
　下記式
　　【化５】
によって示される化合物、または該化合物の薬学的に許容される塩もしくは立体異性体。
【請求項７】
　下記式
　　【化６】
から選択される化合物、または該化合物の薬学的に許容される塩もしくは立体異性体。
【請求項８】
　下記式
　　【化７】
によって示される化合物、または該化合物の薬学的に許容される塩もしくは立体異性体。
【請求項９】
　下記式
　　【化８】
によって示される化合物、または該化合物の薬学的に許容される塩もしくは立体異性体。
【請求項１０】
　下記式
　　【化９】
によって示される化合物、または該化合物の薬学的に許容される塩もしくは立体異性体。
【請求項１１】
　下記式
　　【化１０】
から選択される化合物、または該化合物の薬学的に許容される塩もしくは立体異性体。
【請求項１２】
　下記式
　　【化１１】
によって示される化合物、または該化合物の薬学的に許容される塩もしくは立体異性体。
【請求項１３】
　下記式
　　【化１２】
によって示される化合物、または該化合物の薬学的に許容される塩もしくは立体異性体。
【請求項１４】
　医薬組成物であって、請求項１から１３のいずれか一項に記載の化合物、薬学的に許容される担体および賦形剤、ならびにサイトカイン抑制性抗炎症薬、他のヒトサイトカインまたは増殖因子に対する抗体またはそれらの拮抗薬、ＩＬ−１、ＩＬ−２、ＩＬ−３、ＩＬ−４、ＩＬ−５、ＩＬ−６、ＩＬ−７、ＩＬ−８、ＩＬ−１２、ＩＬ−１５、ＩＬ−１６、ＩＬ−２１、ＩＬ−２３、インターフェロン、ＥＭＡＰ−ＩＩ、ＧＭ−ＣＳＦ、ＦＧＦ、ＰＤＧＦ、ＣＴＬＡまたはこれらのリガンド（ＣＤ１５４を含む）、アダリムマブ、ゴリムマブ、セルトリズマブペゴール（ＣＤＰ８７０）、トシリズマブ、ＣＤＰ５７１、可溶性ｐ５５またはｐ７５ＴＮＦ受容体、Ｌｅｎｅｒｃｅｐｔ、ＴＮＦα変換酵素阻害剤、ＩＬ−１阻害剤、インターロイキン１１、ＩＬ−１８拮抗薬、ＩＬ−１２拮抗薬、ＩＬ−１２抗体、可溶性ＩＬ−１２受容体、ＩＬ−１２結合タンパク質、非欠失抗ＣＤ４阻害剤ＦＫ５０６、ラパマイシン、ミコフェノール酸モフェチル、レフルノミド、ＮＳＡＩＤ、イブプロフェン、コルチコステロイド、ホスホジエステラーゼ阻害剤、アデノシン作動薬、抗血栓薬、補体阻害剤、アドレナリン作動薬、ＩＬ−１β変換酵素阻害剤、Ｔ細胞シグナル伝達キナーゼ阻害剤、メタロプロテイナーゼ阻害剤、スルファサラジン、６−メルカプトプリン、誘導体ｐ７５ＴＮＦＲＩｇＧ、ｓＩＬ−１ＲＩ、ｓＩＬ−１ＲＩＩ、ｓＩＬ−６Ｒ、セレコキシブ、硫酸ヒドロキシクロロキン、ロフェコキシブ、インフリキシマブ、ナプロキセン、バルデコキシブ、メロキシカム、酢酸塩、チオリンゴ酸金ナトリウム、アスピリン、トリアムシノロンアセトニド、プロポキシフェンナプシレート／ａｐａｐ、葉酸塩、ナブメトン、ジクロフェナク、ピロキシカム、エトドラク、ジクロフェナクナトリウム、オキサプロジン、オキシコドンＨＣｌ、酒石酸水素ヒドロコドン／ａｐａｐ、ジクロフェナクナトリウム／ミソプロストール、フェンタニル、アナキンラ、トラマドールＨＣｌ、サルサラート、スリンダク、シアノコバラミン／ｆａ／ピリドキシン、アセトアミノフェン、アレンドロン酸ナトリウム、硫酸モルヒネ、塩酸リドカイン、インドメタシン、硫酸グルコサミン／コンドロイチン、アミトリプチリンＨＣｌ、スルファジアジン、オキシコドンＨＣｌ／アセトアミノフェン、オロパタジンＨＣｌ　ミソプロストール、ナプロキセンナトリウム、オメプラゾール、シクロホスファミド、リツキシマブ、ＩＬ−１ＴＲＡＰ、ＭＲＡ、ＣＴＬＡ４−ＩＧ、ＩＬ−１８ＢＰ、抗−ＩＬ−１２、抗−ＩＬ１５、ＶＸ−７４０、ロフルミラスト、ＩＣ−４８５、ＣＤＣ−８０１、Ｓ１Ｐ１作動薬、ＦＴＹ７２０、ＰＫＣファミリー阻害剤、ルボキシスタウリン、ＡＥＢ−０７１、メソプラム、メトトレキサート、ブデソニド、デキサメタゾン、５−アミノサリチル酸、オルサラジン、ＩＬ−１ｒａ、Ｔ細胞シグナル伝達阻害剤、チロシンキナーゼ阻害剤、ＩＬ−１１、メサラミン、プレドニゾン、アザチオプリン、メルカプトプリン、コハク酸メチルプレドニゾロンナトリウム、ジフェノキシレート／アトロプ硫酸塩、ロペラミド塩酸塩、シプロフロキサシン／デキストロース−水、テトラサイクリン塩酸塩、フルオシノニド、メトロニダゾ��ル、チメロサール／ホウ酸、コレスチラミン／ショ糖、シプロフロキサシン塩酸塩、ヒオスシアミン硫酸塩、メペリジン塩酸塩、ミダゾラム塩酸塩、プロメタジン塩酸塩、リン酸ナトリウム、スルファメトキサゾール／トリメトプリム、ポリカルボフィル、ナプシル酸プロポキシフェン、ヒドロコルチゾン、総合ビタミン剤、バルサラジド二ナトリウム、リン酸コデイン／ａｐａｐ、コレセベラムＨＣｌ、シアノコバラミン、葉酸、レボフロキサシン、ナタリズマブ、インターフェロン−ガンマ、メチルプレドニゾロン、シクロスポリン、４−アミノピリジン、チザニジン、インターフェロン−β１ａ、インターフェロンβ１ｂ、インターフェロンα−ｎ３、インターフェロン−α、インターフェロンβ１Ａ−ＩＦ、Ｐｅｇインターフェロンα２ｂ、高圧酸素、静脈免疫グロブリン、クラブリビン、ＦＫ５０６、プレドニゾロン、抗炎症サイトカイン、インターフェロン−β、カスパーゼ阻害剤、カスパーゼ−１の阻害剤、ＣＤ４０リガンドおよびＣＤ８０に対する抗体、アレムツヅマブ、ドロナビノール、ダクリツマブ、ミトキサントロン、キサリプロデン塩酸塩、ファムプリジン、酢酸グラチラマー、シンナビドール、α−イムノカインＮＮＳ０３、ＡＢＲ−２１５０６２、アレルギＸ．ＭＳ、ケモカイン受容体拮抗薬、ＢＢＲ−２７７８、カラグアリン、ＣＰＩ−１１８９、リポソーム封入ミトキサントロン、ＴＨＣ．ＣＢＤ、カンナビノイド作動薬、ＭＢＰ−８２９８、ＭＮＡ−７１５、抗−ＩＬ−６
受容体抗体、ニューロバクス、ピルフェニドンアロトラップ１２５８（ＲＤＰ−１２５８）、ｓＴＮＦ−Ｒ１、タラミパネル、テリフルノミド、ＴＧＦ−ベータ２、チプリモチド、ＶＬＡ−４拮抗薬、インターフェロンガンマ拮抗薬、ＩＬ−４作動薬、ミソプロストール、ミノサイクリン、エタネルセプト、ベタメタゾン二プロピオン酸塩増量、ジメチルスルホキシド、ケトプロフェン、トルメチンナトリウム、カルシポトリエン、硫酸グルコサミン、リセドロン酸ナトリウム、チオグアニン、アレファセプト、エファリズマブ、ＣＯＸ２阻害剤、ヒドロキシクロロキン、ステロイド、細胞傷害剤、ＰＤＥ４の阻害剤、プリン合成阻害剤、ＣＴＬＡ−４−ＩｇＧ、抗−Ｂ７ファミリー抗体、抗−ＰＤ−１ファミリー抗体、抗−サイトカイン抗体、フォノトリズマブ、抗−ＩＦＮｇ抗体、抗−受容体受容体抗体、Ｂ細胞表面分子に対する抗体、ＬＪＰ３９４、抗ＣＤ２０抗体、ならびにリンフォスタット−Ｂからなる群から選択される第２の治療薬を含む、医薬組成物。
【請求項１５】
　異常なまたは脱制御されたキナーゼ活性と関連する疾患または障害を治療、改善または予防するための薬剤の製造における請求項１から１３のいずれか一項に記載の化合物の使用であって、前記疾患または障害が、関節リウマチ（ＲＡ）、若年性関節リウマチ（ＪＲＡ）、クローン病、乾癬、乾癬性関節炎、強直性脊椎炎関連肺疾患および潰瘍性大腸炎からなる群から選択される前記使用。
【請求項１６】
　前記疾患または障害が、関節リウマチ（ＲＡ）である、請求項１５の使用。
【請求項１７】
　前記疾患または障害が、若年性関節リウマチ（ＪＲＡ）である、請求項１５の使用。
【請求項１８】
　前記疾患または障害が、クローン病である、請求項１５の使用。
【請求項１９】
　前記疾患または障害が、乾癬である、請求項１５の使用。
【請求項２０】
　前記疾患または障害が、乾癬性関節炎である、請求項１５の使用。
【請求項２１】
　前記疾患または障害が、強直性脊椎炎関連肺疾患である、請求項１５の使用。
【請求項２２】
　前記疾患または障害が、潰瘍性大腸炎である、請求項１５の使用。
【請求項２３】
　請求項１から１３のいずれか一項に記載の化合物を含む、異常なまたは脱制御されたキナーゼ活性と関連する疾患または障害の治療、改善または予防において使用するための医薬組成物であって、前記疾患または障害が、関節リウマチ（ＲＡ）、若年性関節リウマチ（ＪＲＡ）、クローン病、乾癬、乾癬性関節炎、強直性脊椎炎関連肺疾患および潰瘍性大腸炎からなる群から選択される医薬組成物。
【請求項２４】
　前記疾患または障害が、関節リウマチ（ＲＡ）である、請求項２３の医薬組成物。
【請求項２５】
　前記疾患または障害が、若年性関節リウマチ（ＪＲＡ）である、請求項２３の医薬組成物。
【請求項２６】
　前記疾患または障害が、クローン病である、請求項２３の医薬組成物。
【請求項２７】
　前記疾患または障害が、乾癬である、請求項２３の医薬組成物。
【請求項２８】
　前記疾患または障害が、乾癬性関節炎である、請求項２３の医薬組成物。
【請求項２９】
　前記疾患または障害が、強直性脊椎炎関連肺疾患である、請求項２３の医薬組成物。
【請求項３０】
　前記疾患または障害が、潰瘍性大腸炎である、請求項２３の医薬組成物。
第３　訂正審判の請求の趣旨及び内容
　本件訂正審判の請求の趣旨は、「特許第５６０７１７４号の特許請求の範囲を、本件審判請求書に添付した特許請求の範囲のとおり訂正することを認める、との審決を求める。」というものであって、その内容は、以下のとおりである。
１　訂正事項１
　特許請求の範囲の請求項２の「から選択される化合物、または該化合物の薬学的に許容される塩もしくは立体異性体。」を「から選択される化合物。」に訂正する（これにより、請求項２を直接的又は間接的に引用する請求項１４〜３０も同様に訂正される。）。
２　訂正事項２
　特許請求の範囲の請求項３の「によって示される化合物、または該化合物の薬学的に許容される塩もしくは立体異性体。」を「によって示される化合物。」に訂正する（これにより、請求項３を直接的又は間接的に引用する請求項１４〜３０も同様に訂正される。）。
３　訂正事項３
　特許請求の範囲の請求項４の「によって示される化合物、または該化合物の薬学的に許容される塩もしくは立体異性体。」を「によって示される化合物。」に訂正する（これにより、請求項４を直接的又は間接的に引用する請求項１４〜３０も同様に訂正される。）。
４　訂正事項４
　特許請求の範囲の請求項５の「によって示される化合物、または該化合物の薬学的に許容される塩もしくは立体異性体。」を「によって示される化合物。」に訂正する（これにより、請求項５を直接的又は間接的に引用する請求項１４〜３０も同様に訂正される。）。
５　訂正事項５
　特許請求の範囲の請求項６の「によって示される化合物、または該化合物の薬学的に許容される塩もしくは立体異性体。」を「によって示される化合物。」に訂正する（これにより、請求項６を直接的又は間接的に引用する請求項１４〜３０も同様に訂正される。）。
６　訂正事項６
　特許請求の範囲の請求項７の「から選択される化合物、または該化合物の薬学的に許容される塩もしくは立体異性体。」を「から選択される化合物。」に訂正する（これにより、請求項７を直接的又は間接的に引用する請求項１４〜３０も同様に訂正される。）。
７　訂正事項７
　特許請求の範囲の請求項８の「によって示される化合物、または該化合物の薬学的に許容される塩もしくは立体異性体。」を「によって示される化合物。」に訂正する（これにより、請求項８を直接的又は間接的に引用する請求項１４〜３０も同様に訂正される。）。
８　訂正事項８
　特許請求の範囲の請求項９の「によって示される化合物、または該化合物の薬学的に許容される塩もしくは立体異性体。」を「によって示される化合物。」に訂正する（これにより、請求項９を直接的又は間接的に引用する請求項１４〜３０も同様に訂正される。）。
９　訂正事項９
　特許請求の範囲の請求項１０の「によって示される化合物、または該化合物の薬学的に許容される塩もしくは立体異性体。」を「によって示される化合物。」に訂正する（これにより、請求項１０を直接的又は間接的に引用する請求項１４〜３０も同様に訂正される。）。
１０　訂正事項１０
　特許請求の範囲の請求項１１の「から選択される化合物、または該化合物の薬学的に許容される塩もしくは立体異性体。」を「から選択される化合物。」に訂正する（これにより、請求項１１を直接的又は間接的に引用する請求項１４〜３０も同様に訂正される。）。
１１　訂正事項１１
　特許請求の範囲の請求項１２の「によって示される化合物、または該化合物の薬学的に許容される塩もしくは立体異性体。」を「によって示される化合物。」に訂正する（これにより、請求項１２を直接的又は間接的に引用する請求項１４〜３０も同様に訂正される。）。
１２　訂正事項１２
　特許請求の範囲の請求項１３の「によって示される化合物、または該化合物の薬学的に許容される塩もしくは立体異性体。」を「によって示される化合物。」に訂正する（これにより、請求項１３を直接的又は間接的に引用する請求項１４〜３０も同様に訂正される。）。
第４　当審の判断
１　訂正事項１について
ア　訂正の目的
　訂正事項１による訂正前の請求項２に係る発明は、請求項２に記載される構造式により特定される化合物のほか、その薬学的に許容される塩及び立体異性体を含むものである。
　これに対し、訂正事項１による訂正後の請求項２に係る発明は、請求項２に記載される構造式により特定される化合物のみを含み、その薬学的に許容される塩及び立体異性体を含まないものである。
　したがって、訂正事項１は、請求項２に係る発明が包含する化学物質を限定するものであり、かつ、請求項２を直接的又は間接的に引用する請求項１４〜３０に係る発明が対象とする化学物質を限定するものである。
　よって、訂正事項１は、特許法第１２６条第１項ただし書第１号に掲げる特許請求の範囲の減縮を目的とする。
イ　実質上特許請求の範囲を拡張し又は変更する訂正ではないこと
　上記アで述べたとおり、訂正事項１は、請求項２に係る発明が包含する化学物質を限定するものであり、かつ、請求項１４〜３０に係る発明が対象とする化学物質を限定するものである。また、訂正事項１は、請求項２及び１４〜３０に係る発明のカテゴリーや対象、目的を変更するものではない。
　したがって、訂正事項１は、実質上特許請求の範囲を拡張し又は変更するものではない。
　よって、訂正事項１は、特許法第１２６条第６項の規定に適合する。
ウ　願書に添付した明細書、特許請求の範囲又は図面に記載した事項の範囲内においてする訂正であること
　上記アで述べたとおり、訂正事項１は、請求項２に係る発明が包含する化学物質を限定するものであり、かつ、請求項１４〜３０に係る発明が対象とする化学物質を限定するものである。
　そして、訂正事項１による訂正後の請求項２に係る発明に包含される化合物は、訂正事項１による訂正前の請求項２に選択肢のひとつとして記載されている。
　したがって、訂正事項１は、願書に添付した特許請求の範囲に記載した事項の範囲内のものである。
　よって、訂正事項１は、特許法第１２６条第５項の規定に適合する。
エ　請求項に係る発明が特許出願の際独立して特許を受けることができるものであること
　訂正事項１による訂正後の請求項２及び請求項２を直接的又は間接的に引用する請求項１４〜３０に係る発明について、特許出願の際独立して特許を受けることができるとはいえないものであるとする理由はみあたらない。
　よって、訂正事項１は、特許法第１２６条第７項の規定に適合する。
オ　訂正事項１についてのまとめ
　上記ア〜エで述べたとおり、訂正事項１による訂正は、特許法第１２６条ただし書第１号に掲げる事項を目的とし、かつ、同法同条第５項から第７項までの規定に適合するものである。
２　訂正事項２〜１２について
　訂正事項２〜１２は、上記第３で述べたとおり、いずれも訂正事項１と同様に、訂正の対象とする各請求項（請求項３〜１３）の「から選択される化合物、または該化合物の薬学的に許容される塩もしくは立体異性体。」又は「によって示される化合物、または該化合物の薬学的に許容される塩もしくは立体異性体。」を「から選択される化合物。」又は「によって示される化合物。」と訂正するものであって、これにより、各請求項に記載される構造式による化合物のほか、その薬学的に許容される塩及び立体異性体を含むものである訂正前の各請求項に係る発明及び各請求項を直接的又は間接的に引用する請求項１４〜３０に係る発明が、各請求項に記載される構造式により特定される化合物のみを含むものに限定される。
　したがって、これら訂正事項２〜１２は、いずれも訂正事項１について上記１ア〜ウで述べたのと同様に、特許請求の範囲の減縮を目的とするものであり、実質上特許請求の範囲を拡張し又は変更するものではなく、願書に添付した特許請求の範囲に記載した事項の範囲内のものである。
　また、訂正事項２〜１２による訂正後の各請求項に係る発明及び各請求項を直接的又は間接的に引用する請求項１４〜３０に係る発明について、訂正事項１について上記１エで述べたのと同様に、特許出願の際独立して特許を受けることができるとはいえないものであるとする理由はみあたらない。
　よって、訂正事項２〜１２は、いずれも、特許法第１２６条ただし書第１号に掲げる事項を目的とし、かつ、同法同条第５項から第７項までの規定に適合するものである。
３　訂正事項１〜１２についてのまとめ
　上記１及び２で述べたとおり、訂正事項１〜１２は、いずれも、特許法第１２６条ただし書第１号に掲げる事項を目的とし、かつ、同法同条第５項から第７項までの規定に適合するものである。
第５　むすび
　以上のとおりであるから、本件訂正審判の請求は、特許法第１２６条第１項ただし書第１号に掲げる事項を目的とし、かつ、同条第５項から同条第７項までの規定に適合するものである。
　よって、結論のとおり決定する。